(57)【要約】【課題】給送ローラに給送された媒体が傾斜当接面の下部に突き当たって傾斜当接面を乗り越えるときに、傾斜当接面の上端から受けるバックテンションをより小さくする。【解決手段】シート状の媒体を支持する媒体支持部と、水平方向に対して傾斜を有し、前記媒体支持部に支持された媒体の先端が当接する傾斜当接面と、前記媒体支持部の上方に配され、前記媒体支持部に支持された前記媒体のうちの最上位の媒体に当接しつつ回転することにより、当該媒体を、前記傾斜当接面を乗り越えて給送する給送ローラとを備え、前記傾斜当接面の上端の摩擦係数は、前記傾斜当接面における前記上端よりも下部の摩擦係数より小さい給送装置が提供される。【選択図】図１
2008247544.tif 000002
【特許請求の範囲】
【請求項１】
シート状の媒体を支持する媒体支持部と、
水平方向に対して傾斜を有し、前記媒体支持部に支持された媒体の先端が当接する傾斜当接面と、
前記媒体支持部の上方に配され、前記媒体支持部に支持された前記媒体のうちの最上位の媒体に当接しつつ回転することにより、当該媒体を、前記傾斜当接面を乗り越えて給送する給送ローラと
を備え、
前記傾斜当接面の上端の摩擦係数は、前記傾斜当接面における前記上端よりも下部の摩擦係数より小さい給送装置。
【請求項２】
前記傾斜当接面は、前記媒体支持部に対して固定されている請求項１に記載の給送装置。
【請求項３】
前記傾斜当接面は、前記上端に回転自在な給送補助ローラを有する請求項１に記載の給送装置。
【請求項４】
前記傾斜当接面は、前記下部にシボを有し、前記上端は平滑である請求項１に記載の給送装置。
【請求項５】
前記傾斜当接面は、前記下部から前記上端に向かうに従ってより水平に傾いた曲面を有する請求項１に記載の給送装置。
【請求項６】
シート状の媒体を支持する媒体支持部、
水平方向に対して傾斜を有し、前記媒体支持部に支持された媒体の先端が当接する傾斜当接面、および、
前記媒体支持部の上方に配され、前記媒体支持部に前記媒体が複数支持されている場合に、複数の前記媒体のうちの最上位の媒体に当接しつつ回転することにより、当該媒体を、前記傾斜当接面を乗り越えて給送する給送ローラを有し、前記媒体を１枚ずつ給送する給送装置と、
前記媒体へインクを吐出する記録ヘッドと、
回転駆動力が与えられることにより回転して、前記媒体を前記記録ヘッドに対向する位置に搬送する搬送駆動ローラと、
を備える記録装置。
【請求項７】
シート状の媒体を媒体支持部に支持して、前記媒体支持部の上方に配された給送ローラにより、前記媒体支持部に支持された前記媒体のうちの最上位の媒体に当接しつつ回転することにより、前記媒体を給送する給送装置に配され、水平方向に対して傾斜を有し、前記媒体支持部に支持された媒体の先端が当接する傾斜当接面を有する当接部材であって、
前記傾斜当接面の上端の摩擦係数は、前記傾斜当接面における前記上端よりも下部の摩擦係数より小さい当接部材。
【発明の詳細な説明】
【技術分野】
【０００１】
本発明は、給送装置、記録装置および当接部材に関する。より詳しくは、シート状の媒体を支持する媒体支持部と、当該媒体支持部から媒体を１枚ずつ給送する給送ローラとを有する給送装置、当該給送装置を備えた記録装置、および、当該給送装置に用いられる当接部材に関する。
【背景技術】
【０００２】
ファクシミリ、スキャナ、プリンタ、複写機等のシート状の読取原稿あるいは記録媒体が取り扱われる装置においては、当該読取原稿等を給送する給送装置が用いられる。この給送装置は、積層して保持されたシート状の被給送物を１枚ずつ給送する。
【０００３】
特許文献１には、カセット本体の圧板上に積載されたシート状の記録媒体を回転により送り出す給紙ローラと、給紙ローラにより送り出された記録媒体を斜面に突き当て、最上層のシート材に給送ローラが接触してその摩擦力によって給送する給紙装置が記載されている。また、特許文献１に記載された給送装置では、上記斜面の角度を記録媒体に対応して変える。
【特許文献１】特開２００３−１１２８３８号公報
【発明の開示】
【発明が解決しようとする課題】
【０００４】
上記特許文献１に記載された給送装置では、記録媒体を給紙ローラで送り出した場合、斜面に突き当たった当該記録媒体が斜面を登っていくにしたがって当該記録媒体と斜面との間に生じる摩擦力が大きくなる。この摩擦力が大きくなると、給紙ローラが当該記録媒体を送り出せなくなることがある。また、斜面を有する分離斜面板の上端が尖った形状なので、斜面を乗り越えた記録媒体が当該分離斜面板の上端の尖った部分で引っ掛かることで、記録媒体の搬送方向と逆方向に力が生じる。この力は、斜面を乗り越えた記録媒体が搬送ローラなどにより搬送されるときの抵抗力となる。この抵抗力は、所謂バックテンションと称される。
【課題を解決するための手段】
【０００５】
上記課題を解決するために、本発明の第１の形態においては、シート状の媒体を支持する媒体支持部と、水平方向に対して傾斜を有し、媒体支持部に支持された媒体の先端が当接する傾斜当接面と、媒体支持部の上方に配され、媒体支持部に支持された媒体のうちの最上位の媒体に当接しつつ回転することにより、当該媒体を、傾斜当接面を乗り越えて給送する給送ローラとを備え、傾斜当接面の上端の摩擦係数は、傾斜当接面における上端よりも下部の摩擦係数より小さい給送装置が提供される。このような給送装置によれば、給送ローラに給送された媒体が傾斜当接面の下部に突き当たって傾斜当接面を乗り越えるときに、傾斜当接面の上端の摩擦係数が、傾斜当接面の下部の摩擦係数より小さいことにより、傾斜当接面の上端から受けるバックテンションをより小さくすることができる。
【０００６】
また、上記傾斜当接面は、媒体支持部に対して固定されていることが好ましい。これにより、傾斜当接面の傾斜角度を変える構成に比べて、簡便な構成でバックテンションを小さくすることができる。
【０００７】
上記給送装置において、傾斜当接面は、上端に回転自在な給送補助ローラを有してもよい。これにより、確実に、バックテンションを小さくすることができる。
【０００８】
上記給送装置において、傾斜当接面は、下部にシボを有し、上端は平滑であってもよい。これにより、簡便な構成で、バックテンションを小さくすることができる。
【０００９】
上記給送装置において、傾斜当接面は、下部から上端に向かうに従ってより水平に傾いた曲面を有してもよい。これにより、簡便な構成で、バックテンションを小さくすることができる。
【００１０】
本発明の第２の形態においては、シート状の媒体を媒体支持部に支持して、媒体支持部の上方に配された給送ローラにより、媒体支持部に支持された媒体のうちの最上位の媒体に当接しつつ回転することにより、媒体を給送する給送装置に配され、水平方向に対して傾斜を有し、媒体支持部に支持された媒体の先端が当接する傾斜当接面を有する当接部材であって、傾斜当接面の上端の摩擦係数は、傾斜当接面における上端よりも下部の摩擦係数より小さい当接部材が提供される。このような当接部材によれば、第１の形態と同様の効果が奏される。
【００１１】
本発明の第３の形態においては、シート状の媒体を支持する媒体支持部、水平方向に対して傾斜を有し、媒体支持部に支持された媒体の先端が当接する傾斜当接面、および、媒体支持部の上方に配され、媒体支持部に媒体が複数支持されている場合に、複数の媒体のうちの最上位の媒体に当接しつつ回転することにより、当該媒体を、傾斜当接面を乗り越えて給送する給送ローラを有し、媒体を１枚ずつ給送する給送装置と、媒体へインクを吐出する記録ヘッドと、回転駆動力が与えられることにより回転して、媒体を記録ヘッドに対向する位置に搬送する搬送駆動ローラと、を備える記録装置が提供される。このような記録装置によれば、第１の形態と同様の効果が奏される。
【００１２】
なお、上記の発明の概要は、本発明の必要な特徴の全てを列挙したものではなく、これらの特徴群のサブコンビネーションもまた、発明となりうる。
【発明を実施するための最良の形態】
【００１３】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１４】
図１は、インクジェット式記録装置１０の内部機構を露出させて示す全体斜視図であり、図２は、インクジェット式記録装置１０の概略側面図である。なお、このインクジェット式記録装置１０は、本発明の記録装置の一例である。図１に示すように、インクジェット式記録装置１０は、例えばステンレス等により形成されるフレーム１１０の後方（図１における上側）に取り付けられる給送装置２００と、フレーム１１０を中心に形成される内部機構とを有する。
【００１５】
給送装置２００は、媒体支持部２１０、フレーム接続部２３０、給送ローラ２４０、および付勢板２６０を有する。媒体支持部２１０は、略矩形の平板であり、フレーム接続部２３０を介してフレーム１１０に、フレーム１１０側が下になるように傾斜して装着される。図２に示すように、媒体支持部２１０は、その上面に記録用紙３０が積層して装填される。この記録用紙３０は、被給送物の一例である。また、媒体支持部２１０の両側には、サイドサポート２２２およびスライドサポート２２４が装着される。これらサイドサポート２２２およびスライドサポート２２４は、媒体支持部２１０に装填された記録用紙３０の側端部と当接する。これにより、媒体支持部２１０の上面に積層して装填された記録用紙３０は、その両側辺が後述する搬送経路３５と略平行になるように保持される。なお、サイドサポート２２２は、媒体支持部２１０の両側の一方の端に固定される。これに対して、スライドサポート２２４は、媒体支持部２１０の両側の他方の端から媒体支持部２１０上を水平に移動できる。これにより、幅の異なる記録用紙３０が装填された場合においても、スライドサポート２２４を移動させて、記録用紙３０の側端部に当接させることができる。
【００１６】
給送軸２４２は、媒体支持部２１０の両側に配された軸受け部２５０に回動可能に支持されることにより媒体支持部２１０上において媒体支持部２１０の幅方向に架け渡される。この給送軸２４２は、金属または樹脂で一体的に成型される。また、この給送軸２４２は、図示しない回転駆動力伝達機構を介して図示しない搬送モータから動力を受けて回転する。給送ローラ２４０は、給送軸２４２に圧入されて給送軸２４２における媒体支持部２１０の幅方向の略中央にあたる位置に固定され、給送軸２４２と一体的に回転する。なお、給送ローラ２４０は例えばゴム製である。また、別体の給送ローラ２４０を給送軸２４２圧入する形態に替えて、給送ローラ２４０と給送軸２４２とを一体に成型してもよい。
【００１７】
付勢板２６０は、付勢板回動軸２６２と一体に成型されており、図２に示すように、媒体支持部２１０のフレーム接続部２３０側の端部近傍に配される。付勢板回動軸２６２は、媒体支持部２１０の幅方向に架け渡されており、媒体支持部２１０の両側においてフレーム接続部２３０に回動可能に支持される。この付勢板回動軸２６２は、図示しない回転駆動力伝達機構を介して動力を受けて回転する。また、付勢板２６０は、図１に示すように、媒体支持部２１０のフレーム接続部２３０側の端部における幅方向の中央に形成された開口を介して露出する。
【００１８】
また、媒体支持部２１０のフレーム接続部２３０側の端部は、媒体支持部２１０の幅方向全体にわたって突出しており、その突出した部分の先端には、媒体支持部２１０の幅方向全体にわたって給送補助ローラ２７５が回動可能に配される。また、上記突出した部分における媒体支持部２１０側の面は、傾斜当接面２７０である。この傾斜当接面２７０は、給送装置２００がフレーム１１０に装着された状態において水平方向に対して傾斜を有する。この傾斜当接面２７０には、図２に示すように、媒体支持部２１０の上面に記録用紙３０が積層して装填されたときに、当該記録用紙３０の先端が当接する。なお、傾斜当接面２７０および給送補助ローラ２７０は、本発明の当接部材の一例である。
【００１９】
フレーム１１０には、給送装置２００に近い側から、図２に矢印で示す搬送経路３５に沿って、搬送駆動ローラ１５２および搬送従動ローラ１５３を含む搬送部と、排出駆動ローラ１６２および排出従動ローラ１６３を有する排出部とがこの順に配される。搬送駆動ローラ１５２は、搬送駆動ギア１５０と接続しており、この搬送駆動ギア１５０を介して図示しない搬送モータから動力を受けて回転する。また、排出駆動ローラ１６２は、排出駆動ギア１６０と接続しており、上記搬送駆動ローラ１５２と同様に、この排出駆動ギア１６０を介して図示しない搬送モータから動力を受けて回転する。
【００２０】
搬送経路３５における搬送部と排出部との間には、さらに、キャリッジ１２０およびプラテン１３０が対向して配される。また、フレーム１１０には一対のプーリ１４３と、当該一対のプーリ１４３の間に掛け渡されたタイミングベルト１４４が配される。上記一対のプーリ１４３の一方は、フレーム１１０に装着されたキャリッジモータ１４５の回転軸と接続しており、当該キャリッジモータ１４５により回転駆動される。また、上記タイミングベルト１４４は、その一部がキャリッジ１２０に把持される。したがって、キャリッジ１２０は、上記一対のプーリ１４３の一方がキャリッジモータ１４５により回転駆動されると、プラテン１３０の上方に配された図示しないガイド軸およびガイドレール１１２に案内されつつ、タイミングベルト１４４に引かれてプラテン１３０の上方において往復移動する。なお、当該往復移動の方向は搬送経路３５と直交する水平方向である。
【００２１】
また、キャリッジ１２０は、その下面、すなわちプラテン１３０と対向する面に記録ヘッド１２２を備える。記録ヘッド１２２は、フレキシブルチューブ１４０を介して、図示しないインクタンクに結合され、当該インクタンクからインクが供給される。なお、フレキシブルチューブ１４０は、多芯のフラットケーブルとひとまとめにして取り回される。このフラットケーブルは、フレーム１１０に配される図示しない制御装置および電源ユニットからキャリッジ１２０に対して伝達または供給される制御信号および電力の経路となる。
【００２２】
また、プラテン１３０の側方（図１における右側）には、キャップ１４６が配される。このキャップ１４６は、ポンプモータ１４８と図示しないチューブを介して接続され、キャリッジ１２０の記録ヘッド１２２のノズルをクリーニングするときに使用される。
【００２３】
インクジェット式記録装置１０の記録動作において、先ず、給送軸２４２が回転することにより、給送軸２４２とともに回転する給送ローラ２４０が媒体支持部２１０の上面に装填された記録用紙３０の先端を傾斜当接面２７０に押し付ける。このとき、付勢板回動軸２６２が回転することにより、付勢板２６０は記録用紙３０に対して下方から給送ローラ２４０に向けて押し付ける力を加える。したがって、媒体支持部２１０の上面に装填された記録用紙３０の枚数および厚さによらず、記録用紙３０は給送ローラ２４０と当接する。これにより、給送ローラ２４０は、確実に記録用紙３０を傾斜当接面２７０に押し付けることができる。
【００２４】
図３は、給送装置２００のフレーム接続部２３０付近を拡大した概略図である。給送ローラ２４０が図３に矢印で示す方向に回転して記録用紙３０を傾斜当接面２７０に押し付けると、押し付けられた記録用紙３０のうちの最上位の一枚、すなわち給送ローラ２４０と直接当接する記録用紙３１は、その先端が撓みつつ傾斜当接面２７０の上方へと移動する。
【００２５】
記録用紙３１の先端が傾斜当接面２７０の上方へと移動するに連れて、記録用紙３１は大きく曲げられるため、記録用紙３１を曲げるのに必要な力が大きくなる。したがって、記録用紙３１の当該移動に連れて記録用紙３１が傾斜当接面２７０から受ける摩擦力が大きくなる。ここで、記録用紙３１が傾斜当接面２７０から受ける摩擦力が、給送ローラ２４０と記録用紙３１との間の摩擦力、すなわち給送ローラ２４０が記録用紙３１を傾斜当接面２７０に押し付ける力よりも大きくなる前に、記録用紙３１の先端が傾斜当接面２７０の上方に配された給送補助ローラ２７５の外周面と当接する。
【００２６】
この給送補助ローラ２７５は、上記のように回動可能に媒体支持部２１０の幅方向全体にわたって配されている。したがって、記録用紙３１の先端が給送補助ローラ２７５の外周面と当接した後、さらに記録用紙３１が傾斜当接面２７０の上方へと移動した場合でも、記録用紙３１における給送補助ローラ２７５の外周面と当接する部分は、当該給送補助ローラ２７５の回転に連れて移動する。ゆえに、記録用紙３１の先端が給送補助ローラ２７５の外周面と当接した後は、記録用紙３１が傾斜当接面２７０から受ける摩擦力はさらに大きくなることがない。なお、記録用紙３１は、回転する給送ローラ２４０から傾斜当接面２７０に押し付ける力を受け続けることにより、給送補助ローラ２７５を経て搬送経路３５の方向へと給送される。
【００２７】
なお、上記のように記録用紙３０が給送ローラ２４０によって傾斜当接面２７０に押し付けられた場合において、当該記録用紙３０のうちの記録用紙３１よりも下位の記録用紙３０、すなわち給送ローラ２４０と直接当接しない記録用紙３０についても、最上面の記録用紙３１の移動に引っ張られて移動し、その先端が折れ曲がって傾斜当接面２７０の上方へと移動することが考えられる。しかしながら、下位の記録用紙３０の先端が傾斜当接面２７０から受ける摩擦力の方が記録用紙３０同士の摩擦力よりも大きくなるように、傾斜当接面２７０の角度および動摩擦係数を設定しておくことにより、下位の記録用紙３０は当該傾斜当接面２７０を乗り越えない。したがって、上記下位の記録用紙３０は、給送ローラ２４０により傾斜当接面２７０に押し付けられた場合でも、傾斜当接面２７０を給送補助ローラ２７５の外周面まで移動することはない。なお、基本的には、下位の記録用紙３０は、上面は記録用紙３１、下面は記録用紙３０との摩擦になるため、摩擦係数は同一もしくは、動摩擦係数の方が静止摩擦係数に比較して一般的には低い傾向にあるため、下位の記録用紙３０は最上面の記録用紙３１には引っ張られないはずであるが、ここで問題になるのは、何らかの摩擦係数を高くする要因、例えば傷、汚れ等が紙に付いている場合である。
【００２８】
このように、給送ローラ２４０が記録用紙３０を傾斜当接面２７０に押し付けたときに、記録用紙３０のうちの最上位の一枚だけが傾斜当接面２７０の上方へと移動して給送補助ローラ２７５を経て搬送経路３５の方向へと給送される。したがって、本実施形態の給送装置２００では、搬送経路３５へ一度に複数枚の記録用紙３０が同時に給送されるのを防ぐことができる。
【００２９】
また、本実施形態の給送装置２００では、上記傾斜当接面２７０は、媒体支持部２１０に対して固定されている。したがって、記録用紙３０として例えば折れ曲がりにくい厚紙が用いられた場合において、当該厚紙が給送ローラ２４０により傾斜当接面２７０に押し付けられたときでも傾斜当接面２７０の媒体支持部２１０に対する角度が変わりにくい。したがって、本実施形態の給送装置２００では、搬送経路３５へ一度に複数枚の記録用紙３０が同時に給送されるのをより確実に防ぐことができる。
【００３０】
また、傾斜当接面２７０の上端に配される回動可能な給送補助ローラ２７５によって、記録用紙３１は、給送補助ローラ２７５の部分では給送補助ローラ２７５の回動によって滑らかに搬送経路３５の方向へ給送される。したがって、傾斜当接面２７０の上端の摩擦係数は、傾斜当接面２７０の摩擦係数よりも実質的に小さくなっている。これにより、給送補助ローラ２７５を経て搬送経路３５の方向へと給送される記録用紙３１に対して生じるバックテンションをより小さくすることができる。
【００３１】
給送装置２００によって、媒体支持部２１０から傾斜当接面２７０および給送補助ローラ２７５を経て搬送経路３５の方向へと給送された記録用紙３１は、図２に示すように、回転駆動する搬送駆動ローラ１５２と搬送従動ローラ１５３と間で挟まれて、プラテン１３０上に搬送される。また、プラテン１３０上に搬送された記録用紙３１は、上記搬送駆動ローラ１５２および搬送従動ローラ１５３によってさらに搬送されて、その先端が排出駆動ローラ１６２と排出従動ローラ１６３との間で挟まれる。
【００３２】
この状態において、キャリッジモータ１４５がプーリ１４３を回転駆動することにより、タイミングベルト１４４を把持するキャリッジ１２０は、記録用紙３１上において搬送経路３５と直交する水平方向に往復移動する。このとき、キャリッジ１２０のプラテン１３０と対向する面に配される記録ヘッド１２２は、インクタンクから供給されたインクを下方に向かって吐出することにより、記録用紙３１にインクを付着させて記録を行う。排出駆動ローラ１６２および排出従動ローラ１６３は、搬送駆動ローラ１５２および搬送従動ローラ１５３に上記記録動作に連動して記録用紙３１を順次、搬送経路３５方向に搬送する。記録が行われた記録用紙３１は、排出駆動ローラ１６２および排出従動ローラ１６３によって、搬送経路３５に沿って搬送されてフレーム１１０の外側へ排出される。
【００３３】
図４は、給送装置２００の他の形態についてフレーム接続部２３０付近を拡大した概略図である。なお、図４に示す給送装置２００において、図１から図３を参照して説明した給送装置２００と同じ構成については、同じ参照番号を付し、説明を省略する。図４に示す給送装置２００は、媒体支持部２１０のフレーム接続部２３０側の端部が図３の給送装置２００と同様に媒体支持部２１０の幅方向全体にわたって突出しており、その突出した部分における傾斜当接面２７０の上部には、媒体支持部２１０の幅方向全体にわたって給送補助ローラ２７６が回動可能に配される。また、この給送補助ローラ２７６は、図３の給送装置２００における給送補助ローラ２７５と比べて直径が小さく、傾斜当接面２７０の上部において傾斜当接面２７０に沿って複数配される。
【００３４】
このように給送補助ローラ２７５と比べて直径の小さな給送補助ローラ２７６を傾斜当接面２７０の上部に当該傾斜当接面２７０に沿って複数配することにより、図３の給送装置２００と同様の作用効果が奏されるだけでなく、給送補助ローラ２７５を配した図３の給送装置２００と比べて媒体支持部２１０の上記突出した部分近傍のスペースを小型化することができる。
【００３５】
図５は、給送装置２００のさらに他の形態についてフレーム接続部２３０付近を拡大した概略図である。なお、図５に示す給送装置２００において、図１から図３の給送装置２００と同じ構成には同じ参照番号を付し、説明を省略する。図５に示す給送装置２００は、媒体支持部２１０のフレーム接続部２３０側の端部が図３の給送装置２００と同様に媒体支持部２１０の幅方向全体にわたって突出している。また、その突出した部分における媒体支持部２１０側の面は、給送装置２００がフレーム１１０に装着された状態において水平方向に対して傾斜を有する傾斜当接面２７２である。なお、この傾斜当接面２７２は、上側が摩擦係数の低い平滑傾斜面２７４となっており、平滑傾斜面２７４と支持板２１０の上面との間は、摩擦係数の大きな非平滑傾斜面２７３となっている。
【００３６】
給送ローラ２４０が図５に矢印で示す方向に回転して記録用紙３０を傾斜当接面２７２に押し付けると、押し付けられた記録用紙３０のうちの最上位の一枚、すなわち給送ローラ２４０と直接当接する記録用紙３１は、その先端が撓みつつ傾斜当接面２７２の上側の平滑傾斜面２７４へと移動するとともに当該先端が平滑傾斜面２７４と当接する。ここで、上記のように平滑傾斜面２７４の摩擦係数が低いことから、記録用紙３１と平滑傾斜面２７４との間に生じる摩擦力は小さい。したがって、記録用紙３１は、先端が平滑傾斜面２７４と当接した後も、回転する給送ローラ２４０から傾斜当接面２７２に押し付ける力を受け続けることにより、スムーズに搬送経路３５の方向へと給送される。
【００３７】
なお、上記のように記録用紙３０が給送ローラ２４０によって傾斜当接面２７２の非平滑傾斜面２７３に押し付けられた場合において、当該記録用紙３０のうちの記録用紙３１よりも下位の記録用紙３０、すなわち給送ローラ２４０と直接当接しない記録用紙３０は、その先端が撓んで平滑傾斜面２７４へと移動することが考えられる。しかしながら、下位の記録用紙３０の先端が非平滑傾斜面２７３から受ける摩擦力の方が記録用紙３０同士の摩擦力よりも大きくなるように、傾斜当接面２７０の角度および動摩擦係数を設定しておくことにより、下位の記録用紙３０の先端は平滑傾斜面２７４へ移動することはない。したがって、上記下位の記録用紙３０は、給送ローラ２４０の回転により傾斜当接面２７２の非平滑傾斜面２７３に押し付けられることにより、上記最上位の記録用紙３１とともに傾斜当接面２７２を超えて給送されることはない。
【００３８】
このように、給送ローラ２４０が記録用紙３０を傾斜当接面２７２に押し付けたときに、記録用紙３０のうちの最上位の一枚だけが傾斜当接面２７２の上方へと移動して給送補助ローラ２７５を経て搬送経路３５の方向へと給送される。したがって、本実施形態の給送装置２００では、搬送経路３５へ一度に複数枚の記録用紙３０が同時に給送されるのを防ぐことができる。なお、上記非平滑傾斜面２７３の例としては、例えばシボ加工等の細かな凹凸や溝を付けた平面などである。
【００３９】
図６は、給送装置２００のさらに他の形態についてフレーム接続部２３０付近を拡大した概略図である。なお、図６に示す給送装置２００において、図１から図３を参照して説明した給送装置２００と同じ構成については、同じ参照番号を付し、説明を省略する。図６に示す給送装置２００は、媒体支持部２１０のフレーム接続部２３０側の端部が図３および図５の給送装置２００と同様に媒体支持部２１０の幅方向全体にわたって突出している。
【００４０】
また、上記突出した部分における媒体支持部２１０側の面は、給送装置２００がフレーム１１０に装着された状態において水平方向に対して傾斜を有する傾斜当接面２７１である。この傾斜当接面２７１には、図６に示すように、媒体支持部２１０の上面に記録用紙３０が積層して装填されたときに、当該記録用紙３０の先端が当接する。また、この傾斜当接面２７１は、図６に示すように、上方ほど傾斜が緩やかになる曲面であり、最上部では媒体支持部２１０における記録用紙３０が装填される面と略同様の傾斜となる。
【００４１】
給送装置２００がこのような傾斜当接面２７１を有することで、記録用紙３１は、その先端が傾斜当接面２７１の下部にあるときは傾斜当接面２７１との当接角度が大きいのに対し、傾斜当接面２７１の最上部近傍ではほとんど当接角度が０になり、滑らかに搬送経路３５の方向へ給送される。したがって、傾斜当接面２７１の最上部近傍において記録用紙３１が傾斜当接面２７１を押す力の大きさは、傾斜当接面２７１の下部において記録用紙３１が傾斜当接面２７１を押す力の大きさよりも小さい。ゆえに、傾斜当接面２７１の最上部近傍において記録用紙３１に作用する摩擦力は、傾斜当接面２７１の下部において記録用紙３１に作用する摩擦力よりも小さくなっている。これにより、傾斜当接面２７１を経て搬送経路３５の方向へと給送される記録用紙３１に対して生じるバックテンションをより小さくすることができる。
【００４２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００４３】
【図１】インクジェット式記録装置１０の内部機構を露出させて示す全体斜視図である。
【図２】インクジェット式記録装置１０の概略側面図である。
【図３】給送装置２００のフレーム接続部２３０付近を拡大した概略図である。
【図４】給送装置２００の他の形態についてフレーム接続部２３０付近を拡大した概略図である。
【図５】給送装置２００のさらに他の形態についてフレーム接続部２３０付近を拡大した概略図である。
【図６】給送装置２００のさらに他の形態についてフレーム接続部２３０付近を拡大した概略図である。
【符号の説明】
【００４４】
１０  インクジェット式記録装置、３０、３１  記録用紙、３５  搬送経路、１１０  フレーム、１１２  ガイドレール、１２０  キャリッジ、１２２  記録ヘッド、１３０  プラテン、１４０  フレキシブルチューブ、１４３  プーリ、１４４  タイミングベルト、１４５  キャリッジモータ、１４６  キャップ、１４８  ポンプモータ、１５０  搬送駆動ギア、１５２  搬送駆動ローラ、１５３  搬送従動ローラ、１６０  排出駆動ギア、１６２  排出駆動ローラ、１６３  排出従動ローラ、２００  給送装置、２１０  媒体支持部、２２２  サイドサポート、２２４  スライドサポート、２３０  フレーム接続部、２４０  給送ローラ、２４２  給送軸、２５０  軸受け部、２６０  付勢板、２６２  付勢板回動軸、２７０、２７１、２７２  傾斜当接面、２７３  非平滑傾斜面、２７４  平滑傾斜面、２７５、２７６  給送補助ローラ
【図１】
2008247544.tif 000003
【図２】
2008247544.tif 000004
【図３】
2008247544.tif 000005
【図４】
2008247544.tif 000006
【図５】
2008247544.tif 000007
【図６】
2008247544.tif 000008